(57)【要約】【課題】  構造が簡単で店頭等に容易、迅速に設置可能であり、短時間で容易に広告表示内容を変更でき、軽量かつ低コストの広告表示装置を提供する。【解決手段】  この広告表示装置１０は、上下に離隔して配置された少なくとも３個の上下部定置ローラパイプ１，２，３と、上下変位可能に保持され、かつ上動付勢された可変位ローラパイプ４，２６と、この上下部定置ローラパイプ１〜３と可変位ローラパイプ４，２６との間に掛け渡された表示シート５とを有している。好ましくは、この表示シート５は少なくとも３枚のシートが脱着可能な接合部材でループ状に連結して構成し、可変位ローラパイプ４，２６の吊持を外して下降させ、かつ表示シート５を外側へ引き出して接合部材１９を外し、表示シート５の一部分を別の表示シートと入れ替えることができる。【選択図】  図１
2015230473.tif 000002
【特許請求の範囲】
【請求項１】
上下に離隔して配置された定置軸部材と、前記定置軸部材の間に配置される上下変位可能に保持された可変位軸部材と、前記定置軸部材と前記可変位軸部材との間に掛け渡されたループ状の表示シートとを有することを特徴とする広告表示装置。
【請求項２】
前記可変位軸部材は、上動付勢されることを特徴とする請求項１に記載した広告表示装置。
【請求項３】
前記表示シートは複数のシートが脱着可能な接合部材でループ状に連結されて成ることを特徴とする請求項１または２のいずれかに記載した広告表示装置。
【請求項４】
前記定置軸部材は、少なくとも３個設けられることを特徴とする請求項１乃至３のいずれかに記載した広告表示装置。
【請求項５】
前記表示シートは第１の定置軸部材、第２の定置軸部材、可変位軸部材、第３の定置軸部材の順に掛け渡されることを特徴とする請求項１乃至４のいずれかに記載した広告表示装置。
【請求項６】
前記定置軸部材および前記可変位軸部材はそれぞれ貫通する芯管に対して回転可能に保持されるローラパイプからなり、可変位ローラパイプの芯管が上部定置ローラパイプの芯管に吊持されることを特徴とする請求項１乃至５のいずれかに記載した広告表示装置。
【請求項７】
前記定置軸部材および前記可変位軸部材はそれぞれ貫通する芯管に対して回転可能に保持されるローラパイプからなり、定置ローラパイプの芯管は一対の側枠部材に支持され、可変位ローラパイプの芯管は前記側枠部材の横桁に吊持されることを特徴とする請求項１乃至５のいずれかに記載した広告表示装置。
【発明の詳細な説明】
【技術分野】
【０００１】
本発明は店頭や建物の外壁、売店窓口等に設置される広告表示装置、特に、広告や案内表示を施した表示シートをスクロール走行させて目視表示箇所を変更でき、また前記表示シートの一部を他のシートと交換することで表示内容を変更できる広告表示装置に関する。
【背景技術】
【０００２】
屋外の簡易な広告表示装置として、例えば店舗等の窓口やウインドウ、建物の壁面等に設置する吊下げ式の広告掲示シートがあるが、季節に応じて、あるいはその日の営業中の時間毎に広告表示内容を変更できるようにスクリーン式の表示シートを手動でスクロールさせて表示内容を変えるものが既に知られている。
【０００３】
例えば特許文献１に示すディスプレイ装置は、表示用のディスプレイシートの一端を回転ロールに布製面ファスナー等を介して脱着自在に係止し、前記回転ロールの操作で前記ディスプレイシートを繰り出し張設するようにし、このディスプレイシートを前記回転ロールに対して交換することで、広告等の表示を簡単かつ低コストで交換できるようにしている。
【０００４】
また、特許文献２に示すスクロール看板は、表示用の帯状シートの裏側に離隔して２つの巻取ローラから成る巻取り部を２組配置し、前記帯状シートの両端をそれぞれ対応した組の巻取り部に巻回し、一方の巻取り部で前記帯状シートを繰り出すとともに他方の巻取り部で前記帯状シートを巻き取ることで、視認される表示情報を切り替えるようにしている。さらに他の例として、複数の巻取り・繰出しロールからそれぞれロールカーテン式に表示シートを吊り下げ、これらの巻取り・繰出しロールを表示シートの裏側に隠れるように平行に横置した構造とし、必要に応じて所望の表示シートを前面側に繰り出すとともに、他の表示シートを上部のロールに巻き込むことで表示内容を切り替えるようにしたものも知られている。
【先行技術文献】
【特許文献】
【０００５】
【特許文献１】特開２００９−０５３６４９号公報
【特許文献２】特開２０１０−２０４２０２号公報
【発明の概要】
【発明が解決しようとする課題】
【０００６】
この種の広告表示装置は、店頭や建物の窓、あるいは壁面に簡単に取り付け得るとともに、表示する広告内容も短時間で容易に変更できることが要求される。この点、特許文献１に示すディスプレイ装置は、小型店舗の店頭や建物の外壁、窓口等に特別な工事施工をすることなく簡単に取り付けられ、広告等の表示内容も比較的容易に変更可能であるものの、例えば上下形態に設置した場合、表示内容の変更に際して上部高所に位置する回転ローラに表示シートを脱着するのに踏台などを要し、その作業が煩雑であり、作業時間もかかるという難点がある。
【０００７】
また、特許文献２に示すスクロール看板は、複数のローラから成る巻取り部の構造が複雑で重量もあり、設置箇所も限られ、店頭等での設置では大きな取付け工事が必要であり、設置コストもかかるという問題がある。また、前述したロールカーテン式に複数の巻取りロールから表示シートを吊り下げるタイプのものは、広い設置空間が必要で全体の重量も大きく、店頭に設置するには大がかりな工事が必要であった。
【０００８】
本発明は、構造が簡単で店頭等に容易、迅速に設置可能であり、短時間で容易に広告表示内容を変更可能で、全体として軽量かつ低コストの広告表示装置を提供することを目的とする。
【課題を解決するための手段】
【０００９】
本発明による広告表示装置は、上下に離隔して配置された定置軸部材と、前記定置軸部材の間に配置される上下変位可能に保持された可変位軸部材と、前記定置軸部材と前記可変位軸部材との間に掛け渡されたループ状の表示シートとを有することを特徴とする。
【００１０】
本発明の他の形態の前記可変位軸部材は、上動付勢されることを特徴とする。
【００１１】
本発明のさらに他の形態の前記表示シートは、複数のシートが脱着可能な接合部材でループ状に連結されて成ることを特徴とする。
【００１２】
本発明のさらに他の形態の前記表示シートは、前記定置軸部材は、少なくとも３個設けられることを特徴とする。
【００１３】
前記表示シートは第１の定置軸部材、第２の定置軸部材、可変位軸部材、第３の定置軸部材の順に掛け渡されることを特徴とする。
【００１４】
本発明の他の形態によれば、前記定置軸部材および前記可変位軸部材はそれぞれ貫通する芯管に対して回転可能に保持されるローラパイプからなり、可変位ローラパイプの芯管が上部定置ローラパイプの芯管に吊持されることを特徴とする。
【００１５】
本発明の他の形態によれば、前記定置軸部材および前記可変位軸部材はそれぞれ貫通する芯管に対して回転可能に保持されるローラパイプからなり、定置ローラパイプの芯管は一対の側枠部材に支持され、可変位ローラパイプの芯管は前記側枠部材の横桁に吊持されることを特徴とする。
【発明の効果】
【００１６】
本発明に係る広告表示装置は、店頭や販売窓口、建物の壁面等任意の箇所に簡単に取り付けられ、軽量でコストも低廉であり、また短時間で容易に広告や装飾、案内表示などの表示内容を変更できる。
【図面の簡単な説明】
【００１７】
【図１】本発明の実施例１に係る広告表示装置の正面図である。
【図２】図１に示す実施例で表示シートを除去した状態の広告表示装置の正面図である。
【図３】本発明の実施例１に係る広告表示装置の概略的な側面図である。
【図４】本発明の実施例２に係る広告表示装置で表示シートを部分的に交換して表示内容を変更するときの状態を示した概略的な側面図である。
【図５】本発明の実施例２に係る広告表示装置に装着される表示シートを例示した概略図である。
【図６】本発明に係る下部定置ローラパイプの保持部分を示した部分的な斜視図である。
【図７】本発明の実施例３に係る広告表示装置の正面図である。
【図８】図７に示す実施例３の広告表示装置で表示シートを除去した状態の正面図である。
【図９】本発明に係る広告表示装置の分割表示シートの連結に適用されるシート接合部材の一例を示す正面図および側面図である。
【図１０】本発明に係る広告表示装置の分割表示シートの連結に適用されるシート接合部材の他の例を示す斜視図および端部拡大図である。
【図１１】本発明の実施例４に係る広告表示装置の概略的な側面図である。
【図１２】本発明の接合部材ユニットの正面図である。
【図１３】図１２に示す接合部材ユニットの接続状態を示す正面図である。
【図１４】本発明の実施例５に係る広告表示装置の概略的な側面図である。
【発明を実施するための形態】
【実施例１】
【００１８】
次に、本発明を図面を参照しつつ各種の実施例について説明する。
図１〜図３を参照すれば、この実施例１の広告表示装置１０は該装置の上部に水平に設けられた定置軸部材としての１本の上部定置ローラパイプ１と、該装置１０の下部に定置軸部材としての上部定置ローラパイプ１と平行に設けられた２本の下部定置ローラパイプ２，３と、これらの上下部定置ローラパイプ１〜３に平行でかつ前記上下部定置ローラパイプの間の上下の略中間位置に配置された可変位軸部材としての中段可変位ローラパイプ４とを有している。この実施例１では、これら４本のローラパイプ１〜４は各々表示シート５（図２では表示シートは除去されている）の巾長さに略等しい長さを有している。また、各ローラパイプ１〜４にはそれぞれ該ローラパイプより若干長い芯管６が遊挿されており、この芯管６に対して各ローラパイプ１〜４が回転自在となっている。なお、図１では明瞭化のためローラパイプの位置で表示シート５を部分的に切除した状態で示してある。
【００１９】
図２に明示されるように、上部定置ローラパイプ１の芯管６はその両端部が固定上桁あるいは建物外壁７に吊ワイヤ８を介して吊持され、また２本の下部定置ローラパイプ２，３の芯管６は或る程度の軸間距離を有して互いに管端で連結部材９により連結され、かつ一方の下部定置ローラパイプ２の芯管６の両端が支持ワイヤ１１によって建物の固定下桁あるいは固定下台１２や前記建物外壁に連結されている。中段可変位ローラパイプ４の芯管６は、図２に明示されるように、その両端部がゴム紐あるいはスプリングワイヤ１３によって上部定置ローラパイプ１の芯管６に吊り下げられている。ゴム紐あるいはスプリングワイヤ１３の自然長の状態で中段可変位ローラパイプ４は上下部ローラパイプ１，２または上下部ローラパイプ１，３間の略中間位置、あるいはこの位置より若干上方へ上った箇所に位置している。
【００２０】
これらの上下に平行に配置された上下部定置ローラパイプ１，２，３および中段可変位ローラパイプ４に、全体としてループ状につながった表示シート５が、装置の側面視（図３）でみて各ローラパイプ１〜４の半円周部に係合するように緊張状態に掛け渡される。
図３を参照してこの掛け渡し形態をさらに説明すれば、図３で正面側Ａに表示シート５の広告表示面が向くように上部定置ローラパイプ１と下部定置ローラパイプ２に表示シート５を掛け渡し、そのまま表示シート５を上部定置ローラパイプ１から装置裏面側Ｂへ折り返して裏面側に位置する下部定置ローラパイプ３に掛け渡し、この裏面側下部定置ローラパイプ３で前面側へ折り返した後、中段可変位ローラパイプ４に掛け渡して前面側へ折り返し、さらに正面側下部定置ローラパイプ２に掛け渡して正面側Ａへ折り返し、表示シート５の始端と終端とを接合してループ状の表示シート５とする。
【００２１】
この掛け渡し操作で表示シート５を撓みなく緊張状態に各ローラパイプ１〜４に掛けるために、ゴム紐あるいはスプリングワイヤ１３で上動付勢状態に吊り下げられた中段可変位ローラパイプ４を下方へ押し下げるようにして表示シート５を中段可変位ローラパイプ４に掛け渡す。場合によっては、ゴム紐、スプリングワイヤ１３等の弾性吊り部材を外した状態にして表示シート５を各ローラパイプ１〜４に掛け渡し、そのあとで表示シート５が撓みのない緊張状態になるように前記弾性吊り部材（前記ゴム紐またはスプリングワイヤ）を上動付勢の状態になるように上部定置ローラパイプ１と中段可変位ローラパイプ４の間に装着してもよい。
【００２２】
表示シートの表面全面には所望の広告、装飾等が施されている。ここで、表示シート５の広告、装飾などの表示の具体例を示せば、ループ状の表示シート５が長さ方向全周に３分割された各区分毎に異なる広告、装飾が施される。例えば、上部定置ローラパイプ１から正面側の下部定置ローラパイプ２までの区画の表示シート５には朝定食用メニュー広告、上部定置ローラパイプ１から裏面側の下部定置ローラパイプ３までの区画の表示シート部分には昼定食用メニュー広告、正面側下部定置ローラパイプ２から中段ローラパイプ４を経て裏面側下部定置ローラパイプ３までの区画の表示シート部分には晩餐用メニュー広告というように３種類の広告が施され、それぞれに対応する時間になると、正面側Ａ（あるいは裏面側Ｂ）の表示シートの両側部を両手で把持して下方へスクロールさせ、他の区画の表示シート部分を正面側Ａへ露呈させる。
【実施例２】
【００２３】
上述のように本発明に係る広告表示装置は、表示シートをローラパイプ間でスクロールさせて異なる広告表示部分を正面側へもたらすことで表示内容を変更するが、本発明の実施例２では、このほかにループ状の表示シートの一部を別の表示シートと部分的に入れ替えることで表示内容を変更することができる。図４，図５に例示するように、ループ状の表示シート５は３つの部分５ａ，５ｂ，５ｃに分割されており、これらの３部分が脱着可能な接合部材１５によってループ状に連結されている。隣接した接合部材１５，１５間の３つの表示シート５ａ〜５ｃの各長さは、概ね正面側に露呈した表示シート５ａの長さ（ローラパイプ１，２間）、概ね裏面側の表示シート５ｂの長さ（ローラパイプ１，３間）、さらに中段可変位ローラパイプ４から正面側および裏面側下部定置ローラパイプ２，３に至る表示シート５ｃの長さにそれぞれ対応している。
【００２４】
このように脱着可能な少なくとも３個の接合部材１５で連結した表示シート５を用いた場合、２つの接合部材１５，１５を外してその間の表示シート５ａの部分を別に準備した他の表示シート（図示せず）と交換することにより、表示シート５の広告表示内容を部分的に変更することができる。この場合の交換作業としては、上動付勢されている中段可変位ローラパイプ４の弾性吊持部材を外し、該ローラパイプ４の上動付勢を解いて下方へ変位させ、表示シート５を外側へ引き出し（図４）、両端の接合部材１５，１５を外してその間の表示シート５ａを別の表示シートと交換する。
【００２５】
脱着可能な前記接合部材としては、例えば図９（ａ），（ｂ）に示すように布製面ファスナー１６を分割表示シート５ａ〜５ｃの両端部に接着した形態、あるいは図１０（ａ），（ｂ）に示すように長手方向に沿って両側部に凹溝１７が形成され、その長手方向に沿った各溝口に小形の係止突起１８が形成された長尺形態の接合部材１９が例示される。後者の場合は、分割表示シート５ａ〜５ｃの分割端部には接合部材１９の溝口の係止突起１８と係合する折返し玉縁２１が形成されており、この分割表示シートの端部を接合部材１９の凹溝１７に該部材の長手方向片端部から挿入、抜去することで接合部材１９と分割表示シート５ａ〜５ｃが容易に連結、離脱される。なお、脱着可能な接合部材１９としては上記例示のもの以外にフック止め、チャック、ファスナー等種々の形態のものが採用可能である。図１０（ｂ）は同図（ａ）のＡ部を拡大した接合部材１９の端部を示している。尚、接合部材１９に脱着される表示シートにおいては表示シート両端にシート形状を安定させるための部材としてのワイヤー、ピアノ線等を貼着したり、表示シート両端に輪を形成しワイヤー、ピアノ線等を挿入しておいてもよい。
【００２６】
さらに接合部材のバリエーションとしては、図１２、１３に示す様に、接合部材１９ａ,１９ｂ間に接続シート２０ａ,２０ｂを介在させる接合部材ユニット１９１が例示される。接合部材ユニット１９１は、接合部材１９ａの一側面に対してオスハトメ２１ａが配設されてなる接続シート２０ａが固定され、接合部材１９ｂ一側面に対して、メスハトメ２１ｂが配設されてなる接続シート２０ｂが固定された二つの部材からなる。接続シート２０ａ,２０ｂの他側面には図１９に示す接合部材１９と同じ構成で凹溝が形成されていて、表示シート５ａ〜５ｃを連結、離脱させられるようになっている。この接合部材ユニット１９１に表示シート５ａ〜５ｃをセットした状態で、図１３に示す如く接続シート２０ａと２０ｂを重ね合せるようにハトメ２１ａと２１ｂを係止固定して、接続シート２０ａと２０ｂを接続することにより表示シート５ａ、５ｂを繋ぎ合わせる。接合部材ユニット１９１を用いれば、接合部材１９から表示シートを横方向にスライドさせて挿入、抜去できる程のスペースの無い広告表示場所でもこの広告表示装置を用いることができる。すなわち、あらかじめ広いスペースで表示シート５ａ〜５ｃを接合部材ユニット１９１の接合部材１９ａ、ｂに挿入しておき、広告表示場所では接合部材ユニット１９１の接続シート２０ａ、２０ｂを重ね合せて止める。また表示シートを交換するときには接合部材ユニット１９１の接続シート２０ａ、２０ｂを外し、広いスペースで表示シート５ａ〜５ｃを抜去すればよい。尚、接続シート同士の固定手段ハトメに限られるものではなく、スナップボタン、面ファスナー等の着脱可能な固定手段であればよい。
【実施例３】
【００２７】
図７，図８に示す実施例３の広告表示装置１０１では、正面側からみて表示シート５の左右側部に上下にのびる側枠部材２２，２３が配置され、この側枠部材２２，２３に上下部の定置ローラパイプ１，２，３の芯管６の両端部が支持されている。側枠部材２２，２３の上下方向略中間部には両側の側枠部材を連結する桁材２４が設けられ、この桁材２４に中段可変位ローラパイプ４の芯管６が上動付勢状態に、つまりゴム紐あるいはスプリングワイヤ１３等の弾性吊り部材によって吊持されている。側枠部材２２，２３の上端は実施例１と同様に装置設置箇所の固定部材、例えば建物の上桁あるいは壁面７に支持ワイヤ８によって吊持され、側枠部材２２，２３の下端は設置箇所の下桁あるいは固定下台１２に支持ワイヤ１１によって連結されている。なお、正面側と裏面側に位置する２本の下部定置ローラパイプ２，３の芯管どうしは両端位置で適当な連結部材２５（図６）で連結されている。
【実施例４】
【００２８】
上述の実施例１〜３では、いずれも中段可変位ローラパイプは、使用状態で上下部定置ローラパイプ間の略上下方向中間位置に配置されているが、実施例４の広告表示装置１０２では可変位ローラパイプが図１１の如く上部定置ローラパイプ１の近傍位置に上段可変位ローラパイプ２６として配置されており、これによって表示シート５は４枚の異なる表示面を該シートのスクロール操作で正面側へ露呈することができる。なお、この場合は４個の脱着可能な接合部材によって４枚の分割表示シート５ａ〜５ｄが連結されてループ状の表示シート５が形成される。上段可変位ローラパイプ２６は上部定置ローラパイプ１の近傍位置で離脱可能に上動付勢状態に吊持される。４枚の分割表示シート５ａ〜５ｄの一部を別の表示シートと交換する際には、上段可変位ローラパイプ２６の弾性吊持部材２７を離脱して該ローラパイプ２６を下降させて表示シート５を外側へ引き出して交換する。この他、中段の可変位ローラパイプを複数本配置したり、上下部の定置ローラパイプの本数を増やすことで、さらに多くの表示面をもつ広告表示装置を得ることができる。
【実施例５】
【００２９】
上述の実施例１〜４では、定置ローラパイプは少なくとも３個設けられる。一方、図１４に示す実施例５の広告表示装置１０３では、上下各１本計２本の定置ローラパイプ１、２と、１本の中段の可変位ローラパイプ４を配置し、表示シート５を、定置ローラパイプ１、定置ローラパイプ２、可変位ローラパイプ４で折り返して、定置ローラパイプ２、定置ローラパイプ１の順に掛け渡す構成になっている。これにより定置ローラパイプが２本でも表示シートを掛け渡した、表示シートが摺動自在な広告表示装置を提供することができる。
【００３０】
上記実施例１〜３では、定置軸部材と可変位軸部材には表示シートの送り出しをよくするためにローラーパイプを用いたが単なる棒部材であっても機能を果たす。またローラーパイプにベアリング機構を配設して、さらに表示シートの送り出しを滑らかにしてもよい。また、広告表示装置建物外壁に固定する手段には吊ワイヤ８と支持ワイヤ１１を例示したが、固定手段はワイヤに限られるものではなく、例えば、紐、チェーン等の定置軸部材が位置決めされる固定手段であればよい。また、その固定箇所の数は限定されない。さらに可変位軸部材は本体から取り外し可能な構造としてもよい。
【００３１】
上記実施例における広告表示装置は、縦据型を例に説明したため、定置ローラパイプ１、２の位置を上下で表したが、当然のことながら、本発明の広告表示装置は横向き或いはその他の角度に設置しても利用することができ、定置ローラパイプ１、２は一端と他端に隔離して配置され、その中間に可変位ローラパイプ４が配置されていればよい。
【符号の説明】
【００３２】
１  上部定置ローラパイプ
２  正面側の下部定置ローラパイプ
３  裏面側の下部定置ローラパイプ
４  中段可変位ローラパイプ
５  表示シート
６  芯管
８  吊ワイヤ
９  連結部材
１０  広告表示装置
１０１  広告表示装置
１０２  広告表示装置
１０３  広告表示装置
１１  支持ワイヤ
１３  スプリングワイヤ
１５，１９  接合部材
１６  布製面ファスナー
１７  凹溝
１８  係止突起
１９１  接合部材ユニット
２０  接続シート
２１  ハトメ
２２，２３  側枠部材
２４  桁材
２６  上段可変位ローラパイプ
２７  弾性吊持部材
【図１】
2015230473.tif 000003
【図２】
2015230473.tif 000004
【図３】
2015230473.tif 000005
【図４】
2015230473.tif 000006
【図５】
2015230473.tif 000007
【図６】
2015230473.tif 000008
【図７】
2015230473.tif 000009
【図８】
2015230473.tif 000010
【図９】
2015230473.tif 000011
【図１０】
2015230473.tif 000012
【図１１】
2015230473.tif 000013
【図１２】
2015230473.tif 000014
【図１３】
2015230473.tif 000015
【図１４】
2015230473.tif 000016